(57)【要約】【課題】載置部に載置された原稿と記録紙とのサイズが異なる場合でも原稿の画像を記録紙により容易に複写できるようにする。【解決手段】原稿と記録紙とを含む複数の用紙Ｓが用紙トレイに載置された状態で原稿の画像の複写が指示されると、用紙Ｓのサイズと画像とを読み取り（Ｓ１２０）、読み取った結果に基づいて用紙Ｓが原稿であるか記録紙であるかを判定し（Ｓ１３０）、用紙Ｓが原稿であるときにはその画像データＭｅｍ（Ｎｏｒ）と用紙ＳのサイズＳＩ（Ｎｏｒ）とをコントローラーのＲＡＭに記憶させ（Ｓ１６０）、用紙Ｓが記録紙であるときにはＲＡＭに記憶されているサイズＳＩ（Ｎｐ）といまから印刷する記録紙のサイズとの比に応じてＲＡＭに記憶されている画像データＭｅｍ（Ｎｐ）のサイズを調整して記録紙に印刷する（Ｓ１９０）。【選択図】図３
2010197781.tif 000002
【特許請求の範囲】
【請求項１】
原稿の画像を記録紙に複写する複写装置であって、
前記原稿または前記記録紙である用紙を載置可能な載置手段に載置された用紙を搬送して該用紙の画像とサイズとを読み取る読取手段と、
前記用紙への印刷と排紙とを行なう印刷手段と、
前記読取手段により画像を読み取った用紙の前記印刷手段側への搬送と排紙とを切り替えて行なう切替搬送手段と、
データを記憶する記憶手段と、
前記載置手段に載置された用紙を搬送して該用紙の画像とサイズとを読み取るよう前記読取手段を制御する読取処理を実行すると共に該読取処理を行なった用紙である読取後用紙が前記原稿であるか前記記録紙であるかを判定し、前記読取後用紙が前記原稿であると判定したときには該原稿を排紙するよう前記切替搬送手段を制御すると共に前記読取処理により読み取った原稿の画像とサイズとを前記記憶手段に記憶させ、前記読取後用紙が前記記録紙であると判定したときには該記録紙を前記印刷手段に搬送するよう前記切替搬送手段を制御すると共に前記記録紙のサイズと前記記憶手段に記憶されている原稿のサイズである記憶原稿サイズとに基づく前記記憶手段に記憶されている画像である記憶画像のサイズの調整を伴って前記記録紙への印刷を行なって排紙するよう前記印刷手段を制御する制御手段と、
を備える複写装置。
【請求項２】
前記切替搬送手段は、前記用紙の両面のうち前記読取手段により画像の読み取りが行なわれる側の面と前記用紙の両面のうち前記印刷手段により印刷が行なわれる側の面とが同一になるように前記用紙を前記印刷手段に搬送可能な手段である、請求項１記載の複写装置。
【請求項３】
前記切替搬送手段は、前記載置手段に載置された用紙が前記読取手段により搬送される際の先端側と前記用紙が前記印刷手段に搬送される際の先端側とが同一側になるように前記用紙を前記印刷手段に搬送可能な手段である、請求項１または２記載の複写装置。
【請求項４】
請求項１ないし３のいずれか１つの請求項に記載の複写装置であって、
前記切替搬送手段は、前記読取手段により画像を読み取った用紙を前記印刷手段側としての第２の載置手段に搬送可能であると共に該第２の載置手段の用紙を前記印刷手段に搬送可能な手段であり、
前記制御手段は、前記読取後用紙が前記記録紙であると判定したときには、該記録紙を前記第２の載置手段に搬送するよう前記切替搬送手段を制御すると共に該第２の載置手段に搬送した記録紙を前記印刷手段に搬送するよう前記切替搬送手段を制御する手段である、
複写装置。
【請求項５】
前記制御手段は、前記載置手段に載置された全ての用紙について前記原稿であるか前記記録紙であるかを判定した後に、前記第２の載置手段に搬送した記録紙を前記印刷手段に搬送するよう前記切替搬送手段を制御する手段である、請求項４記載の複写装置。
【請求項６】
原稿または記録紙である用紙を載置可能な載置手段に載置された用紙を搬送して該用紙の画像とサイズとを読み取る読取手段と、前記用紙への印刷と排紙とを行なう印刷手段と、前記読取手段により画像を読み取った用紙の前記印刷手段側への搬送と排紙とを切り替えて行なう切替搬送手段と、データを記憶する記憶手段と、を備える複写装置の制御方法であって、
前記載置手段に載置された用紙を搬送して該用紙の画像とサイズとを読み取るよう前記読取手段を制御する読取処理を実行すると共に該読取処理を行なった用紙である読取後用紙が前記原稿であるか前記記録紙であるかを判定し、前記読取後用紙が前記原稿であると判定したときには該原稿を排紙するよう前記切替搬送手段を制御すると共に前記読取処理により読み取った原稿の画像とサイズとを前記記憶手段に記憶させ、前記読取後用紙が前記記録紙であると判定したときには該記録紙を前記印刷手段に搬送するよう前記切替搬送手段を制御すると共に前記記録紙のサイズと前記記憶手段に記憶されている原稿のサイズである記憶原稿サイズとに基づく前記記憶手段に記憶されている画像である記憶画像のサイズの調整を伴って前記記録紙への印刷を行なって排紙するよう前記印刷手段を制御する、
複写装置の制御方法。
【請求項７】
請求項１ないし６のいずれか１つの請求項に記載の複写装置の制御方法の各ステップを１以上のコンピューターに実現させるためのプログラム。
【発明の詳細な説明】
【技術分野】
【０００１】
本発明は、複写装置およびその制御方法並びにプログラムに関する。
【背景技術】
【０００２】
従来、この種の複写装置としては、スキャナーの原稿搬送路に接続して記録紙搬送路を設けると共に分岐フラッパの回動によって原稿搬送路と記録紙搬送路とを切り替えるものが提案されている（例えば、特許文献１参照）。この装置では、コピーモードが指定された場合、給紙台から給紙した原稿あるいは記録紙の画像をイメージセンサによって読み取り、原稿あるいは記録紙の先端が分岐フラッパに達するまでの間に画像が検出されたときには搬送された用紙が原稿であると判断して分岐フラッパを記録紙搬送路を閉鎖する位置に維持してその原稿を排紙トレイに排紙させ、原稿あるいは記録紙の先端が分岐フラッパに達するまでの間に画像が検出されないときには搬送された用紙は記録紙であると判断して分岐フラッパを記録紙搬送路を開放する位置に回動させて記録紙を給紙搬送路を通って給紙装置に搬送させている。
【先行技術文献】
【特許文献】
【０００３】
【特許文献１】特開平６−３０３３９７号公報
【発明の概要】
【発明が解決しようとする課題】
【０００４】
こうした複写装置では、載置台に載置された原稿と記録紙とのサイズが異なる場合、ユーザーが拡大率や縮小率を設定する必要があった。このため、載置台に載置された原稿と記録紙とのサイズが異なる場合でも原稿の画像を記録紙により容易に複写できるようにすることが望まれている。
【０００５】
本発明の複写装置およびその制御方法並びにプログラムは、載置部に載置された原稿と記録紙とのサイズが異なる場合でも原稿の画像を記録紙により容易に複写できるようにすることを主目的とする。
【０００６】
本発明の複写装置およびその制御方法並びにプログラムは、上述の主目的を達成するために以下の手段を採った。
【課題を解決するための手段】
【０００７】
本発明の複写装置は、
原稿の画像を記録紙に複写する複写装置であって、
前記原稿または前記記録紙である用紙を載置可能な載置手段に載置された用紙を搬送して該用紙の画像とサイズとを読み取る読取手段と、
前記用紙への印刷と排紙とを行なう印刷手段と、
前記読取手段により画像を読み取った用紙の前記印刷手段側への搬送と排紙とを切り替えて行なう切替搬送手段と、
データを記憶する記憶手段と、
前記載置手段に載置された用紙を搬送して該用紙の画像とサイズとを読み取るよう前記読取手段を制御する読取処理を実行すると共に該読取処理を行なった用紙である読取後用紙が前記原稿であるか前記記録紙であるかを判定し、前記読取後用紙が前記原稿であると判定したときには該原稿を排紙するよう前記切替搬送手段を制御すると共に前記読取処理により読み取った原稿の画像とサイズとを前記記憶手段に記憶させ、前記読取後用紙が前記記録紙であると判定したときには該記録紙を前記印刷手段に搬送するよう前記切替搬送手段を制御すると共に前記記録紙のサイズと前記記憶手段に記憶されている原稿のサイズである記憶原稿サイズとに基づく前記記憶手段に記憶されている画像である記憶画像のサイズの調整を伴って前記記録紙への印刷を行なって排紙するよう前記印刷手段を制御する制御手段と、
を備えることを要旨とする。
【０００８】
この本発明の複写装置では、原稿または記録紙である用紙を載置可能な載置手段に載置された用紙を搬送して用紙の画像とサイズとを読み取るよう読取手段を制御する読取処理を実行すると共に読取処理を行なった用紙である読取後用紙が原稿であるか記録紙であるかを判定し、読取後用紙が原稿であると判定したときには原稿を排紙するよう切替搬送手段を制御すると共に読取処理により読み取った原稿の画像とサイズとを記憶手段に記憶させ、読取後用紙が記録紙であると判定したときには記録紙を印刷手段に搬送するよう切替搬送手段を制御すると共に記録紙のサイズと記憶手段に記憶されている原稿のサイズである記憶原稿サイズとに基づく記憶手段に記憶されている画像である記憶画像のサイズの調整を伴って記録紙への印刷を行なって排紙するよう印刷手段を制御する。これにより、載置手段に原稿と記録紙とが載置された状態で原稿の画像の記録紙への複写が指示されたときに、原稿と記録紙とのサイズが異なる場合でも、原稿の画像を記録紙により容易に複写することができる。
【０００９】
こうした本発明の複写装置において、前記切替搬送手段は、前記用紙の両面のうち前記読取手段により画像の読み取りが行なわれる側の面と前記用紙の両面のうち前記印刷手段により印刷が行なわれる側の面とが同一になるように前記用紙を前記印刷手段に搬送可能な手段である、ものとすることもできる。この場合、記録紙を印刷手段に搬送する際に、用紙（原稿または記録紙）の両面のうち読取手段により画像の読み取りが行なわれる側の面と記録紙の両面のうち印刷手段により印刷が行なわれる側の面とが同一になるように記録紙を印刷手段に搬送するよう切替搬送手段を制御することにより、ユーザーは、原稿の両面のうち読取手段により画像の読み取りが行なわれる側の面と記録紙の両面のうち印刷手段により印刷が行なわれる側の面とが同一側（例えば下側）になるように載置手段に原稿、記録紙の順に載置すればよいから、原稿の画像を記録紙に複写する際のユーザーの操作をより容易にすることができる。
【００１０】
また、本発明の複写装置において、前記切替搬送手段は、前記載置手段に載置された用紙が前記読取手段により搬送される際の先端側と前記用紙が前記印刷手段に搬送される際の先端側とが同一側になるように前記用紙を前記印刷手段に搬送可能な手段である、ものとすることもできる。この場合、記録紙を印刷手段に搬送する際に、載置手段に載置された用紙（原稿または記録紙）が読取手段により搬送される際の先端側と記録紙が印刷手段に搬送される際の先端側とが同一側になるように記録紙を印刷手段に搬送するよう切替搬送手段を制御することにより、載置手段に載置された原稿と記録紙との向き（搬送方向の向き）を保持して原稿の画像を記録紙に複写することができる。
【００１１】
さらに、本発明の複写装置において、前記切替搬送手段は、前記読取手段により画像を読み取った用紙を前記印刷手段側としての第２の載置手段に搬送可能であると共に該第２の載置手段の用紙を前記印刷手段に搬送可能な手段であり、前記制御手段は、前記読取後用紙が前記記録紙であると判定したときには、該記録紙を前記第２の載置手段に搬送するよう前記切替搬送手段を制御すると共に該第２の載置手段に搬送した記録紙を前記印刷手段に搬送するよう前記切替搬送手段を制御する手段である、ものとすることもできる。こうすれば、第２の載置手段、印刷手段の順に搬送した記録紙に対して印刷手段により印刷を行なうことができる。この態様の本発明の複写装置において、前記制御手段は、前記載置手段に載置された全ての用紙について前記原稿であるか前記記録紙であるかを判定した後に、前記第２の載置手段に搬送した記録紙を前記印刷手段に搬送するよう前記切替搬送手段を制御する手段である、ものとすることもできる。この場合、載置手段に載置された全ての用紙について原稿であるか記録紙であるかを判定するまでは記録紙への印刷を行なわないから、前の記録紙への印刷が完了するのを待って次の用紙の読取処理を行なうものに比して載置手段に載置された全ての用紙についての原稿と記録紙との判別をより迅速に行なうことができる。
【００１２】
あるいは、本発明の複写装置において、前記制御手段は、前記読取後用紙が前記記録紙であると判定したときには、今回までに前記記録紙に印刷を行なった回数に応じた前記記憶画像のサイズの調整を伴って前記記録紙への印刷を行なって排紙するよう前記印刷手段を制御する手段である、ものとすることもできる。また、前記制御手段は、前記読取後用紙が前記原稿であると判定したときには、前記読取処理により読み取った原稿の画像を、今回より前の記録紙よりも前の原稿に対して前記読取処理により読み取った画像に置き換えて前記記憶手段に記憶させる手段である、ものとすることもできる。
【００１３】
加えて、本発明の複写装置において、前記切替搬送手段は、前記印刷手段により第１面への印刷を行なった記録紙を該印刷手段により前記記録紙の第２面への印刷が可能となるよう該記録紙の面を反転させて前記印刷手段に搬送可能な手段であり、前記制御手段は、前記記録紙の両面に印刷を行なう際には、前記記録紙の第１面への印刷を行なうよう前記印刷手段を制御し、該第１面への印刷後に前記記録紙の面を反転して前記印刷手段に搬送するよう前記切替搬送手段を制御し、該搬送した記録紙の第２面への印刷を行なうよう前記印刷手段を制御する手段である、ものとすることもできる。こうすれば、記録紙の両面に印刷を行なうことができる。
【００１４】
また、本発明の複写装置において、前記切替搬送手段は、前記読取手段により第１面の画像を読み取った用紙を該読取手段により前記用紙の第２面の読み取りが可能となるよう該用紙の面を反転させて前記読取手段に搬送可能な手段であり、前記制御手段は、前記読取処理として、前記用紙の両面の画像を読み取る際には、前記用紙の第１面の画像を読み取るよう前記読取手段を制御し、該第１面の画像の読み取り後に前記用紙の面を反転して前記読取手段に搬送するよう前記切替搬送手段を制御し、該搬送した用紙の第２面の画像を読み取るよう前記読取手段を制御する、ものとすることもできる。また、本発明の複写装置において、前記読取手段は、前記用紙の第１面の画像とサイズとを読み取る第１の読み取り部と、前記用紙の第２面の画像を読み取る第２の読み取り部と、を有する手段である、ものとすることもできる。これらの場合、原稿の両面の画像を読み取ることができ、この両面の画像を記録紙に印刷することができる。
【００１５】
本発明の複写装置の制御方法は、
原稿または記録紙である用紙を載置可能な載置手段に載置された用紙を搬送して該用紙の画像とサイズとを読み取る読取手段と、前記用紙への印刷と排紙とを行なう印刷手段と、前記読取手段により画像を読み取った用紙の前記印刷手段側への搬送と排紙とを切り替えて行なう切替搬送手段と、データを記憶する記憶手段と、を備える複写装置の制御方法であって、
前記載置手段に載置された用紙を搬送して該用紙の画像とサイズとを読み取るよう前記読取手段を制御する読取処理を実行すると共に該読取処理を行なった用紙である読取後用紙が前記原稿であるか前記記録紙であるかを判定し、前記読取後用紙が前記原稿であると判定したときには該原稿を排紙するよう前記切替搬送手段を制御すると共に前記読取処理により読み取った原稿の画像とサイズとを前記記憶手段に記憶させ、前記読取後用紙が前記記録紙であると判定したときには該記録紙を前記印刷手段に搬送するよう前記切替搬送手段を制御すると共に前記記録紙のサイズと前記記憶手段に記憶されている原稿のサイズである記憶原稿サイズとに基づく前記記憶手段に記憶されている画像である記憶画像のサイズの調整を伴って前記記録紙への印刷を行なって排紙するよう前記印刷手段を制御する、
ことを要旨とする。
【００１６】
この本発明の複写装置の制御方法では、原稿または記録紙である用紙を載置可能な載置手段に載置された用紙を搬送して用紙の画像とサイズとを読み取るよう読取手段を制御する読取処理を実行すると共に読取処理を行なった用紙である読取後用紙が原稿であるか記録紙であるかを判定し、読取後用紙が原稿であると判定したときには原稿を排紙するよう切替搬送手段を制御すると共に読取処理により読み取った原稿の画像とサイズとを記憶手段に記憶させ、読取後用紙が記録紙であると判定したときには記録紙を印刷手段に搬送するよう切替搬送手段を制御すると共に記録紙のサイズと記憶手段に記憶されている原稿のサイズである記憶原稿サイズとに基づく記憶手段に記憶されている画像である記憶画像のサイズの調整を伴って記録紙への印刷を行なって排紙するよう印刷手段を制御する。これにより、載置手段に原稿と記録紙とが載置された状態で原稿の画像の記録紙への複写が指示されたときに、原稿と記録紙とのサイズが異なる場合でも、原稿の画像を記録紙により容易に複写することができる。
【００１７】
本発明のプログラムは、本発明の複写装置の制御方法の各ステップを１以上のコンピューターに実現させるためのものである。このプログラムは、コンピューターが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピューターから別のコンピューターに配信されてもよいし、その他どのような形で授受されてもよい。このプログラムを一つのコンピューターに実行させるか又は複数のコンピューターに各ステップを分担して実行させれば、本発明の複写方複写装置の制御方法の各ステップが実行されるため、本発明の複写装置の制御方法と同様の作用効果が得られる。
【図面の簡単な説明】
【００１８】
【図１】複合機１０の構成の概略を示す構成図。
【図２】複合機１０の構成の概略を示す構成図。
【図３】重ね合わせ時複写処理ルーチンの一例を示すフローチャート。
【図４】原稿と記録紙との一例を示す説明図。
【図５】画像データと用紙Ｓのサイズとを関連付けたテーブルの一例を示す説明図。
【図６】原稿と記録紙との一例を示す説明図。
【図７】重ね合わせ時複写処理ルーチンの一例を示すフローチャート。
【図８】重ね合わせ時複写処理ルーチンの一例を示すフローチャート。
【図９】記録紙の搬送の様子の一例を示す説明図。
【図１０】用紙Ｓの搬送の様子の一例を示す説明図。
【発明を実施するための形態】
【００１９】
次に、本発明の実施形態を図面を用いて説明する。図１および図２は、本発明の一実施形態である複写装置としての複合機１０の構成の概略を示す構成図である。本実施形態の複合機１０は、図１および図２に示すように、複合機１０中上部（図２参照）に配置され用紙トレイ１２に載置された用紙Ｓ（原稿または記録紙）を搬送してその用紙Ｓの画像を読み取るスキャナー部２０と、スキャナー部２０から見て図２中右側に配置された排紙トレイ１４と、スキャナー部２０の下部に配置され用紙Ｓに印刷を行なって排紙トレイ１６に排紙するプリンター部４０と、プリンター部４０の下部に配置されて用紙Ｓを載置可能な用紙カセット１３と、スキャナー部２０，排紙トレイ１４，プリンター部４０，用紙カセット１３間を繋ぐ搬送経路５１に沿って用紙Ｓを搬送する切替搬送ユニット５０と、ユーザーが各種の指示を入力する操作パネル６０と、装置全体の制御を司るコントローラー７０と、を備える。
【００２０】
スキャナー部２０は、スキャナーエンジン２１とスキャナーＡＳＩＣ２２とを備える。スキャナーエンジン２１は、用紙トレイ１２に載置された最下部の用紙Ｓを読取部２３に搬送する搬送ローラー２４と、読取部２３に搬送した用紙Ｓの下面を光学的に読み取るラインイメージセンサ２５と、ラインイメージセンサ２５を走査させる移動部２６と、用紙トレイ１２に用紙があるか否かを検出する用紙センサ２７と、を備えている。ここで、ラインイメージセンサ２５は、用紙Ｓに向かって発光した後の反射光をレッド（Ｒ）、グリーン（Ｇ）、ブルー（Ｂ）の各色に分解してスキャンデータとする周知のカラーイメージセンサとして構成されている。スキャナーＡＳＩＣ２２は、スキャナーエンジン２１を制御する機能を有するＩＣチップであり、ラインイメージセンサ２５によって読み取られたスキャンデータをコントローラー７０のＲＡＭ７６に格納する。なお、「ＡＳＩＣ」とは、アプリケーション・スペシフィック・インテグレーテッド・サーキット（Application Specific Integrated Circuit）の略である。
【００２１】
プリンター部４０は、プリンターエンジン４１とプリンターＡＳＩＣ４２とを備える。プリンターエンジン４１は、タンデム型で中間転写方式を採用したフルカラーの電子写真方式のプリンターエンジンとして構成されており、シアン（Ｃ）、マゼンタ（Ｍ）、イエロー（Ｙ）、ブラック（Ｋ）の各色毎に設けられた感光体４３Ｃ，４３Ｍ，４３Ｙ，４３Ｋ（以下、まとめて感光体４３と表わす）と、各色の感光体４３上にレーザーを照射して各色毎の画像を静電潜像として形成する露光ユニット４４と、形成した各色毎の静電潜像を現像する現像ユニット４５と、各色毎に現像されたトナー像が転写される中間転写ベルト４６と、中間転写ベルト４６に形成されたフルカラートナー像を用紙に転写する二次転写ユニット４７と、用紙に転写されたフルカラートナー像を定着させる定着ユニット４８と、排紙トレイ１６に用紙Ｓを排紙する排紙ローラー４９と、を備える。プリンターＡＳＩＣ４２は、プリンターエンジン４１を制御する機能を有するＩＣチップであり、コントローラー７０のＲＡＭ７６に記憶されたデータを１ページ毎にビットマップイメージに展開してそのデータが記録紙に印刷されるようにプリンターエンジン４１を制御する。
【００２２】
切替搬送ユニット５０は、搬送経路５１とスキャナー部２０との間で用紙Ｓを搬送する搬送ローラー５２ａと、搬送経路５１と排紙トレイ１４との間で用紙Ｓを搬送する搬送ローラー５２ｂと、搬送経路５１に沿って用紙Ｓを搬送する搬送ローラー５２ｃ〜５２ｅと、用紙カセット１３にある最上部の記録紙を搬送経路５１に搬送する搬送ローラー５６と、スキャナー部２０側からの用紙Ｓの搬送先を排紙トレイ１４側かプリンター部４０（または用紙カセット１３）側かに切り替えると共に排紙トレイ１４側からスキャナー部２０側への用紙Ｓの搬送を可能にする切替部材５３ａと、排紙トレイ１４側からの用紙Ｓの搬送先をスキャナー部２０側かプリンター部４０側かに切り替えると共にスキャナー部２０側やプリンター部４０側から排紙トレイ１４側への用紙Ｓの搬送を可能にする切替部材５３ｂと、スキャナー部２０（または排紙トレイ１４）側からの用紙Ｓの搬送先をプリンター部４０側か用紙カセット１３側かに切り替えると共にプリンター部４０側から排紙トレイ１４側への用紙Ｓの搬送を可能にする切替部材５３ｃと、を備える。ここで、搬送ローラー５２ａ〜５２ｅ（以下、まとめて搬送ローラー５２と表わす），５６は、コントローラー７０からの信号による図示しないモータの駆動によって回転するよう構成され、切替部材５３ａ〜５３ｃ（以下、まとめて切替部材５３と表わす）は、コントローラー７０からの信号による図示しないモータの駆動によって回動するよう構成されている。また、搬送経路５１は、本実施形態では、スキャナー部２０側と排紙トレイ１４側とプリンター部４０（または用紙カセット１３）側とに繋がる三叉路５１ａにおいて、スキャナー部２０側からの用紙Ｓがプリンター部４０側に搬送されると共にプリンター部４０側からの用紙Ｓが排紙トレイ１４側に搬送され排紙トレイ１４側からの用紙Ｓがプリンター部４０側に搬送されるよう形成されており、スキャナー部２０（または排紙トレイ１４）側とプリンター部４０側と用紙カセット１３側とに繋がる三叉路５１ｂにおいて、スキャナー部２０側からの用紙Ｓが用紙カセット１３側に搬送されると共に用紙カセット１３側からの用紙Ｓがプリンター部４０側に搬送されるよう形成されている。この搬送経路５１は、排紙トレイ１４や用紙カセット１３を経由せずに用紙Ｓがスキャナー部２０からプリンター部４０に搬送される際に、用紙Ｓの両面のうちスキャナー部２０で画像が読み取られる側の面（読取面）とプリンター部４０で印刷が行なわれる側の面（印刷面）とが同一になると共に用紙トレイ１２の用紙Ｓのスキャナー部２０側とプリンター部４０に搬送される用紙Ｓの先端側とが同一になるよう形成されている。また、搬送経路５１は、用紙Ｓが用紙カセット１３からプリンター部４０に搬送される際に、用紙カセット１３の用紙Ｓの下側の面と印刷面とが同一になると共に用紙カセット１３の用紙Ｓの搬送経路５１側とプリンター部４０に搬送される用紙Ｓの先端側とが同一になるよう形成されている。
【００２３】
操作パネル６０は、ユーザーが複合機１０に対して各種の指示を入力するためのデバイスであり、各種の指示に応じた文字や画像が表示されるカラー液晶パネルにより構成された表示部６２や、各種操作を行う操作部６４が設けられている。
【００２４】
コントローラー７０は、ＣＰＵ７２を中心とするマイクロプロセッサとして構成されており、各種処理プログラムを記憶するＲＯＭ７４と、一時的にデータを記憶するＲＡＭ７６と、データを書き込み消去可能なフラッシュメモリ７８と、を備える。このコントローラー７０は、バス７９を介してスキャナーＡＳＩＣ２２や切替搬送ユニット５０，プリンターＡＳＩＣ４２，操作パネル６０と電気的に接続されており、スキャナーＡＳＩＣ２２への読取制御信号や、切替搬送ユニット５０の搬送ローラー５２，５６や切替部材５３を駆動する図示しないモータへの駆動信号，プリンターＡＳＩＣ４２への印刷指令信号，操作パネル６０への表示指令信号などを出力したり、スキャナーＡＳＩＣ２２からのスキャナー部２０の状態に関する信号やプリンターＡＳＩＣ４２からのプリンター部４０の状態に関する信号，操作パネル６０からの各種指令信号などを入力したりする。
【００２５】
次に、こうして構成された本実施形態の複合機１０の動作、特に、用紙トレイ１２に載置された原稿の画像を同じく用紙トレイ１２に載置された記録紙に複写する重ね合わせ時複写処理を実行する際の動作について説明する。図３は、コントローラー７０のＣＰＵ７２により実行される重ね合わせ時複写処理ルーチンの一例を示すフローチャートである。このルーチンは、ＲＯＭ７４に記憶され、ユーザーによって重ね合わせ時複写処理の実行が指示されたときに実行される。なお、本実施形態では、図４に例示するように、用紙トレイ１２に、最下部から順に（スキャナー部２０で後述の読取処理を行なう順に）、用紙トレイ１２に載置されたときの下側の面（図４中ハッチングを付した側の面）に画像が記載されている３枚の原稿と原稿とはサイズが異なる６枚の記録紙とが載置された状態で原稿の画像の記録紙への複写が指示された場合について説明する。この場合、ユーザーは、３枚の原稿と６枚の原稿とを最下部から３枚の原稿、６枚の記録紙の順にそれぞれ下側の面が前述の読取面になるように用紙トレイ１２に載置し、操作パネル６０の操作部６４を操作して重ね合わせ時複写処理を選択してその実行を指示することになる。以下、説明の都合上、用紙トレイ１２に載置された用紙Ｓ（原稿または記録紙）について、下側の面を載置時下面（前述の読取面と同一面）、上側の面を載置時上面、スキャナー部２０側を載置時先端側、載置時先端側とは反対側を載置時後端側という。
【００２６】
重ね合わせ時複写処理ルーチンが実行されると、コントローラー７０のＣＰＵ７２は、まず、原稿番号Ｎｏｒと印刷番号Ｎｐとにそれぞれ値０を設定し（ステップＳ１００）、用紙センサ２７により検出されてスキャナーＡＳＩＣ２２を介して入力される信号に基づいて用紙トレイ１２に用紙Ｓ（原稿または記録紙）があるか否かを判定し（ステップＳ１１０）、用紙トレイ１２に用紙Ｓがあると判定したときには、用紙トレイ１２上の最下部の用紙Ｓを載置時先端側の読取部２３に搬送するようスキャナーＡＳＩＣ２２によって搬送ローラー２４を駆動する給紙処理を行ない（ステップＳ１２０）、読取部２３上に搬送した用紙Ｓの載置時下面の画像とサイズとを読み取るようスキャナーＡＳＩＣ２２によってラインイメージセンサ２５を制御する読取処理を行なう（ステップＳ１３０）。ここで、ステップＳ１１０の処理は、用紙トレイ１２に載置された全ての用紙Ｓについて原稿であるか記録紙であるかの判別を行なったか否かを判定する処理である。
【００２７】
こうしてスキャナー部２０で読取処理を行なうと、読取処理の結果に基づいて用紙Ｓが記録紙であるか原稿であるか（白紙であるか否か）を判定し（ステップＳ１４０）、用紙Ｓが原稿であると判定したときには、その原稿を排紙トレイ１４に排紙するよう切替搬送ユニット５０の搬送ローラー５２と切替部材５３とを駆動する排紙処理を行ない（ステップＳ１５０）、スキャナー部２０での読取処理で読み取った画像を画像データＭｅｍ（Ｎｏｒ）とすると共に原稿のサイズをサイズＳＩ（Ｎｏｒ）としてスキャナーＡＳＩＣ２２によってＲＡＭ７６に記憶させ（ステップＳ１６０）、原稿番号Ｎｏｒに値１を加えて原稿番号Ｎｏｒを更新して（ステップＳ１７０）、ステップＳ１１０の処理に戻る。ここで、画像データＭｅｍ（Ｎｏｒ），サイズＳＩ（Ｎｏｒ）は、記録紙への印刷を行なう際にそれぞれ画像データＭｅｍ（Ｎｐ），サイズＳＩ（Ｎｐ）として用いられるものであり、画像データＭｅｍ（Ｎｏｒ），Ｍｅｍ（Ｎｐ）やサイズＳＩ（Ｎｏｒ），ＳＩ（Ｎｐ）の「Ｎｏｒ」，「Ｎｐ」はそれぞれ値０以上の整数である。本実施形態では、最下部から順に３枚の原稿と６枚の記録紙とが用紙トレイ１２に載置された場合を考えているから、ステップＳ１２０〜Ｓ１７０の処理を繰り返し実行することにより、図５に例示するように、３枚の原稿の画像データＭｅｍ（０），Ｍｅｍ（１），Ｍｅｍ（２）とサイズＳＩ（０），ＳＩ（１），ＳＩ（２）とをＲＡＭ７６に記憶させることになる。なお、図５では、参考のために、各画像データＭｅｍ（Ｎｏｒ）に対応する原稿番号Ｎｏｒ，印刷番号Ｎｐについても示した。
【００２８】
ステップＳ１４０で用紙Ｓが記録紙であると判定したときには、記録紙の載置時下面（読取面と同一面）と印刷面とが同一になると共に記録紙の載置時先端側とプリンター部４０に搬送される際の先端側とが同一になるように記録紙をプリンター部４０に搬送するよう（本実施形態では記録紙をスキャナー部２０からプリンター部４０にそのまま搬送するよう（図２参照））切替搬送ユニット５０の搬送ローラー５２と切替部材５３とを駆動し（ステップＳ１８０）、プリンター部４０に搬送した記録紙の載置時下面にＲＡＭ７６に記憶されている画像データＭｅｍ（Ｎｐ）のサイズの調整を伴って記録紙への印刷を行なって排紙トレイ１６に排紙するようプリンターＡＳＩＣ４２によってプリンターエンジン４１を制御する印刷排紙処理を行なう（ステップＳ１９０，Ｓ２００）。ここで、画像データＭｅｍ（Ｎｐ）のサイズの調整は、本実施形態では、ＲＡＭ７６に記憶されているサイズＳＩ（Ｎｐ）といまから印刷する用紙Ｓのサイズとの比に応じてＲＡＭ７６に記憶されている画像データＭｅｍ（Ｎｐ）のサイズを調整することにより行なうものとした。これにより、例えば、Ｂ５サイズの原稿とＡ４サイズの記録紙とが用紙トレイ１２に載置された場合に、Ｂ５サイズからＡ４サイズに自動的に拡大した画像を記録紙に印刷することができる。したがって、ユーザーは、異なるサイズの原稿用紙と記録紙とを用紙トレイ１２に載置した場合でも、拡大率や縮小率を設定する作業が必要ないため、用紙トレイ１２に載置された原稿の画像を同じく用紙トレイ１２に載置された記録紙により容易に複写することができる。しかも、用紙Ｓが記録紙のときには、記録紙の載置時下面（読取面と同一面）と印刷面とが同一になると共に記録紙の載置時先端側とプリンター部４０に搬送される際の先端側とが同一になるよう記録紙をプリンター部４０に搬送するから、ユーザーは、原稿の画像が記載されている側の面と記録紙の印刷する側の面とを揃えると共に原稿のスキャナー部２０側と記録紙のスキャナー部２０側とを揃えて用紙トレイ１２に載置して前述の重ね合わせ時複写処理の実行を指示すればよく、原稿の載置時下面の画像を記録紙の載置時下面に複写する際のユーザーの操作をより容易にすることができる。
【００２９】
そして、印刷番号Ｎｐに値１を加えて印刷番号Ｎｐを更新し（ステップＳ２１０）、更新した印刷番号Ｎｐが原稿番号Ｎｏｒに等しいか否かを判定し（ステップＳ２２０）、印刷番号Ｎｐが原稿番号Ｎｏｒより小さいときにはそのままステップＳ１１０の処理に戻り、印刷番号Ｎｐが原稿番号Ｎｏｒに等しいときには印刷番号Ｎｐに値０を設定して（ステップＳ２３０）、ステップＳ１１０の処理に戻る。このステップＳ２２０，Ｓ２３０の処理は、用紙トレイ１２に載置された用紙Ｓのうち原稿の枚数Ｎｏｒｓｅｔが記録紙の枚数Ｎｐｓｅｔに比して多い場合（例えば、３枚の原稿と６枚の記録紙とが載置された場合など）に、１枚目〜Ｎｏｒｓｅｔ枚目の原稿のセットを一部ずつ記録紙に複写するようにするために行なわれる処理である。本実施形態では、用紙トレイ１２に最下部から順に３枚の原稿と６枚の記録紙とが載置された場合を考えているから、画像データＭｅｍ（０），Ｍｅｍ（１），Ｍｅｍ（２），Ｍｅｍ（０），・・・の順にサイズを調整して記録紙に印刷することができる。そして、ステップＳ１１０で用紙トレイ１２に用紙Ｓがないと判定したときに、このルーチンを終了する。
【００３０】
ここで、本実施形態の構成要素と本発明の構成要素との対応関係を明らかにする。本実施形態のスキャナー部２０が読取手段に相当し、プリンター部４０が印刷手段に相当し、切替搬送ユニット５０が切替搬送手段に相当し、ＲＡＭ７６が記憶手段に相当し、ＣＰＵ７２やスキャナーＡＳＩＣ２２，プリンターＡＳＩＣ４２が制御手段に相当する。なお、本実施形態では、複合機１０の動作を説明することにより、本発明の複写装置の制御方法の一例も明らかにしている。
【００３１】
以上説明した実施形態の複合機１０によれば、ユーザーによって、原稿と記録紙とを含む複数の用紙Ｓが用紙トレイ１２に載置された状態で操作パネル６０が操作されて原稿の画像の記録紙への複写が指示されると、用紙Ｓのサイズと画像とを読み取り、読み取った結果に基づいて用紙Ｓが原稿であるか記録紙であるかを判定し、用紙Ｓが原稿であるときにはその画像データＭｅｍ（Ｎｏｒ）とサイズＳＩ（Ｎｏｒ）とをＲＡＭ７６に記憶させ、用紙Ｓが記録紙であるときにはＲＡＭ７６に記憶されているサイズＳＩ（Ｎｐ）といまから印刷する記録紙のサイズとの比に応じてＲＡＭ７６に記憶されている画像データＭｅｍ（Ｎｐ）のサイズを調整して記録紙に印刷するから、用紙トレイ１２に載置された原稿と記録紙とのサイズが異なる場合でも原稿の画像を記録紙により容易に複写することができる。
【００３２】
また、実施形態の複合機１０によれば、用紙Ｓが記録紙のときには、記録紙の載置時下面（読取面と同一面）と印刷面とが同一になると共に記録紙の載置時先端側とプリンター部４０に搬送される際の先端側とが同一になるよう記録紙をプリンター部４０に搬送するから、ユーザーは、原稿の画像が記載されている側の面と記録紙の印刷する側の面とを揃えると共に原稿のスキャナー部２０側と記録紙のスキャナー部２０側とを揃えて重ね合わせ時複写処理の実行を指示すればよく、原稿の載置時下面の画像を記録紙の載置時下面に複写する際のユーザーの操作をより容易にすることができる。
【００３３】
なお、本発明は上述した実施形態に何ら限定されることはなく、本発明の技術的範囲に属する限り種々の態様で実施し得ることはいうまでもない。
【００３４】
上述した実施形態では、図６に例示するように、用紙トレイ１２に、最下部から順に、載置時下面（図６中ハッチングを付した側の面）に画像が記載されている１枚の原稿ＯＲ１と１枚の記録紙Ｐ１と１枚の原稿ＯＲ２と３枚の記録紙Ｐ２〜Ｐ４とが載置されている場合、原稿ＯＲ１の画像データＭｅｍ（０）を記録紙Ｐ１，Ｐ２，Ｐ４に印刷し、原稿ＯＲ２の画像データＭｅｍ（１）を記録紙Ｐ３に印刷することになるが、原稿ＯＲ１の画像データを記録紙Ｐ１に印刷し、原稿ＯＲ２の画像データを記録紙Ｐ２〜Ｐ４に印刷するものとしてもよい。この場合の重ね合わせ時複写処理ルーチンの一例を図７に示す。図７の重ね合わせ時複写処理ルーチンは、ステップＳ１００の処理に代えてステップＳ３００の処理を実行する点と、ステップＳ３１０〜Ｓ３３０の処理を追加した点と、を除いて図３の重ね合わせ時複写処理ルーチンと同一である。したがって、同一の処理については同一のステップ番号を付し、その詳細な説明は省略する。図７の重ね合わせ時複写処理ルーチンでは、コントローラー７０のＣＰＵ７２は、まず、図３の重ね合わせ時複写処理ルーチンのステップＳ１００の処理と同様に原稿番号Ｎｏｒと印刷番号Ｎｐとにそれぞれ値０を設定すると共に記録紙への印刷を行なっているか否かを示す印刷フラグＦに値０を設定する（ステップＳ３００）。そして、ステップＳ１４０で用紙Ｓが記録紙であると判定したときには、印刷フラグＦに値１を設定し（ステップＳ３３０）、ステップＳ１８０以降の処理を実行する。一方、ステップＳ１４０で用紙Ｓが原稿であると判定したときには、原稿の排紙処理を行ない（ステップＳ１５０）、印刷フラグＦの値を調べる（ステップＳ３１０）。このステップＳ３１０の処理は、読取処理を行なった用紙Ｓが記録紙の直後の原稿であるか否かを判定する処理である。印刷フラグＦが値１のときには、用紙Ｓが記録紙の直後の原稿であると判断し、原稿番号Ｎｏｒに値０を設定すると共に印刷フラグＦに値０を設定し（ステップＳ３２０）、ステップＳ１６０以降の処理を実行し、印刷中フラグＦが値０のときには、用紙Ｓが記録紙の直後の原稿ではないと判断し、ステップＳ３２０の処理を実行せずに、ステップＳ１６０以降の処理を実行する。この場合、図６の例では、原稿ＯＲ２の読取処理を行なったときには、画像データＭｅｍ（０）を原稿ＯＲ１の画像データから原稿ＯＲ２の画像データに置き換えることになるから、原稿ＯＲ２の後の記録紙Ｐ２〜Ｐ４に原稿ＯＲ２の画像データＭｅｍ（０）を印刷することができる。
【００３５】
上述した実施形態では、用紙Ｓが記録紙のときには、その記録紙をプリンター部４０にそのまま搬送して印刷を行なうものとしたが、用紙カセット１３に一旦搬送して用紙トレイ１２に載置された全ての用紙Ｓについて原稿であるか記録紙であるかの判別を行なった後に用紙カセット１３からプリンター部４０に記録紙を搬送してその記録紙への印刷を行なうものとしてもよい。この場合の重ね合わせ時複写処理ルーチンの一例を図８に示す。図８の重ね合わせ時複写処理ルーチンは、ステップＳ１００の処理に代えてステップＳ４００の処理を実行する点と、ステップＳ１８０〜Ｓ２３０の処理に代えてステップＳ４１０〜Ｓ５２０の処理を実行する点と、を除いて図３の重ね合わせ時複写処理ルーチンと同一である。したがって、同一の処理については同一のステップ番号を付し、その詳細な説明は省略する。図８の重ね合わせ時複写処理ルーチンでは、ＣＰＵ７２は、まず、図３の重ね合わせ時複写処理ルーチンのステップＳ１００の処理と同様に原稿番号Ｎｏｒと印刷番号Ｎｐとにそれぞれ値０を設定すると共に印刷フラグＦとスキャナー部２０から用紙カセット１３に搬送した記録紙のうち現在も用紙カセット１３にある記録紙（以下、待機記録紙という）の枚数である待機枚数Ｎｗとにそれぞれ値０を設定する（ステップＳ４００）。そして、ステップＳ１４０で用紙Ｓが記録紙であると判定したときには、記録紙をその載置時先端側の排紙トレイ１４に搬送するよう搬送ローラー５２と切替部材５３とを駆動すると共に排紙トレイ１４に搬送した記録紙をその載置時後端側の用紙カセット１３に記録紙の載置時下面を下側の面にして待機記録紙の最上部に搬送するよう搬送ローラー５２と切替部材５３とを駆動し（ステップＳ４１０）、待機枚数Ｎｗに値１を加えて待機枚数Ｎｗを更新して（ステップＳ４２０）、ステップＳ１１０の処理に戻る。記録紙がスキャナー部２０から用紙カセット１３に搬送されるときの様子の一例を図９に示す。図中、一点鎖線および（ｉ）〜（ｉｖ）は記録紙の流れを示す。このようにして用紙カセット１３に載置される記録紙は、載置時下面が下側の面になると共に搬送経路５１側が載置時先端側になっている。こうしてステップＳ１１０〜Ｓ１４０，Ｓ４１０，Ｓ４２０の処理を繰り返し実行することにより、用紙カセット１３に既に載置されている待機記録紙の最上部に新たな記録紙を載置していくことになる。ステップＳ１１０で用紙トレイ１２に用紙Ｓがないと判定したときには、用紙トレイ１２に載置された全ての用紙Ｓについて原稿であるか記録紙であるかの判別を行なったと判断し、待機枚数Ｎｗが値０より大きいか否かを判定し（ステップＳ４３０）、待機枚数Ｎｗが値０より大きいときには、印刷フラグＦの値を調べ（ステップＳ４４０）、印刷フラグＦが値０のときには、原稿番号Ｎｏｒから値１を減じたものを印刷番号Ｎｐに設定すると共に印刷フラグＦに値１を設定する（ステップＳ４５０）。ここで、原稿番号Ｎｏｒから値１を減じたものを印刷番号Ｎｐに設定するのは、後述の処理で、後に用紙カセット１３に載置された記録紙から順にプリンター部４０で印刷を行なっていくためである。なお、ステップＳ４４０で印刷フラグＦが値１のときにはステップＳ４５０の処理を実行しない。続いて、用紙カセット１３の最上部の待機記録紙の載置時下面（読取面と同一面）と印刷面とが同一になると共に待機記録紙の載置時先端側とプリンター部４０に搬送される際の先端側とが同一になるよう（本実施形態では待機記録紙を用紙カセット１３からプリンター部４０にそのまま搬送するよう（図２参照））搬送ローラー５２，５６を駆動すると共に（ステップＳ４６０）、待機枚数Ｎｗから値１を減じて待機枚数Ｎｗを更新し（ステップＳ４７０）、プリンター部４０に搬送した記録紙の載置時下面に対して図３の重ね合わせ時複写処理ルーチンのステップＳ１９０，Ｓ２００の処理と同様に印刷排紙処理を行ない（ステップＳ４８０，Ｓ４９０）、印刷番号Ｎｐから値１を減じて印刷番号Ｎｐを更新し（ステップＳ５００）、更新した印刷番号Ｎｐが値０より小さいか否かを判定し（ステップＳ５１０）、印刷番号Ｎｐが値０以上のときには、そのままステップＳ１１０の処理に戻り、印刷番号Ｎｐが値０より小さいときには、印刷番号Ｎｐに原稿番号Ｎｏｒから値１を減じたものを設定して（ステップＳ５２０）、ステップＳ１１０の処理に戻る。こうしてステップＳ１１０，Ｓ４３０〜Ｓ５２０の処理を繰り返し実行して待機枚数Ｎｗが値０のときに（ステップＳ４３０）、このルーチンを終了する。この場合でも、実施例と同様の効果を奏することができる。しかも、記録紙への印刷を開始する前に用紙トレイ１２に載置された全ての用紙Ｓについて原稿であるか記録紙であるかの判別を行なうから、前の記録紙への印刷が完了するのを待って次の用紙Ｓの読取処理を行なうものに比して用紙トレイ１２に載置された全ての用紙Ｓについての原稿と記録紙との判別をより迅速に行なうことができる。
【００３６】
上述した実施形態では、原稿の載置時下面（用紙トレイ１２に載置されたときの下面）に記載されている画像を記録紙の載置時下面に複写する場合について説明したが、原稿の載置時上面に記載されている画像を記録紙の載置時上面に複写する場合や原稿の両面に記載されている画像を記録紙に複写する場合ついても適用することができる。これらの場合、例えば、図３の重ね合わせ時複写処理ルーチンのステップＳ１２０の処理に代えて、用紙Ｓの載置時下面の読取処理を行ない、載置時下面の読取処理を行なった用紙Ｓの面を反転させてスキャナー部２０に搬送する反転処理を行ない、反転処理を行なった用紙Ｓの載置時上面の読取処理を行なう処理を実行するものとすることができる。反転処理を行なっているときの用紙Ｓの搬送の様子の一例を図１０に示す。図中、一点鎖線および（ｖ）〜（ｖｉｉｉ）は反転処理における用紙の流れを示す。反転処理は、この形態では、用紙Ｓが（ｖ）の位置から載置時後端が三叉路５１ａよりもプリンター部４０側になる（ｖｉ）の位置まで載置時先端側に移動するよう搬送ローラー５２と切替部材５３とを駆動し、用紙Ｓが（ｖｉ）の位置から排紙トレイ１４の（ｖｉｉ）の位置まで載置時後端側に移動するよう搬送ローラー５２と切替部材５３とを駆動し、用紙Ｓが（ｖｉｉ）の位置からスキャナー部２０の（ｖｉｉｉ）の位置まで移動するよう搬送ローラー５２と切替部材５３とを駆動することにより行なうものとした。このように切替搬送ユニット５０を制御することにより、用紙Ｓの両面を読み取るようにすることができる。そして、用紙Ｓの両面を読み取ると、用紙Ｓの第１面と第２面との少なくとも一方が白紙でないときには、用紙Ｓは原稿であると判定し、用紙Ｓを排紙トレイ１４に排紙すると共に読み取った画像とサイズとを画像データＭｅｍ（Ｎｏｒ，ｉ）（ｉは、用紙Ｓの第１面のときに値１，第２面のときに値２）とサイズＳＩ（Ｎｏｒ）としてＲＡＭ７６に記憶させる。一方、用紙Ｓの両面が白紙であるときには、用紙Ｓは記録紙であると判定し、画像データＭｅｍ（Ｎｐ，ｉ）から記録紙の両面に印刷すべきか片面に印刷すべきかを判定し、記録紙の片面に印刷すべきと判定したときには図３の重ね合わせ時複写処理ルーチンのステップＳ１９０，２００の処理と同様の処理を行ない、記録紙の両面に印刷すべきと判定したときにはステップＳ１９０，２００の処理に代えてまず記録紙の載置時下面に画像データＭｅｍ（Ｎｐ，１）のサイズを調整して印刷を行ないその後に載置時下面に印刷を行なった記録紙に対して前述したのと同様に反転処理を行ない（この場合、図１０の（ｖｉ）、（ｖｉｉ）、（ｖｉｉｉ）、（ｖｉ）の順に記録紙を搬送して反転処理を行ない）記録紙の載置時上面に画像データＭｅｍ（Ｎｐ，２）のサイズを調整して印刷して排紙トレイ１６に排紙するものとしてもよい。こうすれば、原稿の片面または両面の画像を記録紙に複写することができる。
【００３７】
上述した実施形態では、スキャナー部２０は、読取部２３に搬送した用紙Ｓの下面を読み取るラインイメージセンサ２５を備えるものとしたが、これに加えて読取部２３に搬送した用紙Ｓの上面を読み取る図示しないラインイメージセンサを備えるものとしてもよい。この場合、読取部２３に搬送した用紙Ｓの上面の画像と下面の画像とを読み取ることができる。
【００３８】
上述した実施形態では、スキャナー部２０が、読取部２３に搬送した用紙Ｓの下面（載置時下面）を読み取るラインイメージセンサ２５と用紙トレイ１２に載置された最下部の用紙Ｓを読取部２３に搬送する搬送ローラー２４とを備え、搬送経路５１が、プリンター部４０で載置時下面に印刷が行なわれると共に載置時先端側と用紙Ｓがスキャナー部２０からプリンター部４０にそのまま搬送される際の先端側とが同一になるよう用紙Ｓをスキャナー部２０からプリンター部４０にそのまま搬送可能に形成されているものとしたが、スキャナー部２０が、読取部２３に搬送した用紙Ｓの上面（載置時上面）を読み取るラインイメージセンサ２５と用紙トレイ１２に載置された最上部の用紙Ｓを読取部２３に搬送する搬送ローラー２４とを備え、搬送経路５１が、プリンター部４０で載置時上面に印刷が行なわれると共に載置時先端側と用紙Ｓがスキャナー部２０からプリンター部４０にそのまま搬送される際の先端側とが同一になるよう用紙Ｓをスキャナー部２０からプリンター部４０にそのまま搬送可能に形成されているものとしてもよい。この場合、用紙トレイ１２に、最上部から、載置時上面に画像が記載されている原稿、記録紙の順に載置された状態で原稿の画像の記録紙への複写が指示されたときに、原稿の載置時上面の画像を記録紙の載置時上面に複写することができる。
【００３９】
上述した実施形態では、用紙トレイ１２に最下部から原稿、記録紙の順に載置された場合すなわち用紙Ｓが記録紙のときにＲＡＭ７６に記憶されている画像データがあるときについて説明したが、記録紙、原稿、記録紙の順に載置された場合などにおける最初の記録紙（ＲＡＭ７６に記憶されている画像データがないとき）についてはその記録紙をそのまま排紙トレイ１４に排紙するよう搬送ローラー５２と切替部材５３とを駆動するものとしてもよい。
【００４０】
上述した実施形態では、搬送経路５１の用紙Ｓの搬送方向が定まるように三叉路５１ａ，３１ｂが形成されているものとしたが、搬送先を切り替える図示しない切替部材が設けられているものとしてもよい。
【００４１】
上述した実施形態では、フルカラー式の電子写真方式のプリンター部４０として説明したが、インクジェット方式のフルカラーのプリンター部や熱転写式のフルカラーのプリンター部、ドットインパクト方式のカラーのプリンター部としてもよいし、これらのモノクロのプリンター部としてもよい。
【００４２】
上述した実施形態では、複写装置としての複合機１０について説明したが、複写装置の制御方法の形態としてもよいし、複写装置の制御方法の各ステップを実行するプログラムの形態としてもよい。
【符号の説明】
【００４３】
１０  複合機、１２  用紙トレイ、１３  用紙カセット、１４，１６  排紙トレイ、２０  スキャナー部、２１  スキャナーエンジン、２２  スキャナーＡＳＩＣ、２３  読取部、２４  搬送ローラー、２５  ラインイメージセンサ、２６  移動部、２７  用紙センサ、４０  プリンター部、４１  プリンターエンジン、４２  プリンターＡＳＩＣ、４３，４３Ｃ，４３Ｍ，４３Ｙ，４３Ｋ  感光体、４４  露光ユニット、４５  現像ユニット、４６  中間転写ベルト、４７  二次転写ユニット、４８  定着ユニット、４８ａ  ヒータ、４９  排紙ローラー、５０  切替搬送ユニット、５１  搬送経路、５１ａ，５１ｂ，５１ｃ  三叉路、５２，５２ａ〜５２ｅ，５６  搬送ローラー、５３，５３ａ〜５３ｃ  切替部材、６０  操作パネル、６２  表示部、６４  操作部、７０  コントローラー、７２  ＣＰＵ、７４  ＲＯＭ、７６  ＲＡＭ、７８  フラッシュメモリ、７９  バス、Ｓ  用紙。
【図１】
2010197781.tif 000003
【図２】
2010197781.tif 000004
【図３】
2010197781.tif 000005
【図４】
2010197781.tif 000006
【図５】
2010197781.tif 000007
【図６】
2010197781.tif 000008
【図７】
2010197781.tif 000009
【図８】
2010197781.tif 000010
【図９】
2010197781.tif 000011
【図１０】
2010197781.tif 000012